(57)【要約】後部分および前部分を含むケーシング（１４）内に配置されたおおむね円筒環形の固定子（１２）を備え、固定子（１２）の軸方向外面（２４）およびケーシング（１４）の軸方向内面（３０）が、環状半径方向空間（３２）を画定しており、かつ固定子（１２）が、ケーシング（１４）内に伸縮自在に懸架されている型の回転電気機械（１０）であって、環状半径方向空間（３２）の少なくとも一部が、軸方向に変形可能であり、かつケーシング（１４）と固定子（１２）との間に半径方向に設けられた熱伝導性樹脂（５０）を含み、固定子（１２）とケーシング（１４）とを、半径方向に機械的にカップリングし、かつ固定子（１２）からケーシング（１４）へ、熱エネルギを放散させるようにしてあるすることを特徴とする回転電気機械（１０）を提案する。【選択図】図１
2004511197.tif 000002
【特許請求の範囲】
【請求項１】
回転子（１３）と、回転子（１３）を包囲するおおむね円筒環状の固定子（１２）であって、機械（１０）の回転子の軸（Ｘ−Ｘ）に対して直角の接合面（Ｐ）に沿って結合されている後部分（１６）および前部分（１８）を備えるケーシング（１４）内に配置された固定子（１２）とを備える回転電気機械（１０）において、
固定子（１２）の軸方向外面（２４）が、ケーシング（１４）の軸方向内面（３０）と共に環状半径方向空間（３２）を画定し、ケーシング（１４）の前記部分（１６）（１８）の各々に形成された対向する半径方向係合面（３６）（４８）間に、軸方向に固定子（１２）が固締され、かつ２つの係合面（３６）（４８）の各々、および固定子（１２）の対面する環状半径方向端面（２０）（２２）の一部分の間に、少なくとも１つの伸縮自在に変形可能な要素（３４）（４６）が配置されて圧縮され、半径方向環状空間（３２）の少なくとも一部分が、ケーシング（１４）と固定子（１２）との間に半径方向に設けられた伸縮自在の変形可能な熱伝導性樹脂（５０）を含み、それにより、固定子（１２）とケーシング（１４）との半径方向の機械的結合を解除させ、かつ固定子（１２）からケーシング（１４）へ、熱エネルギを放散させるようにしたことを特徴とする回転電気機械（１０）。
【請求項２】
ケーシング（１４）の前部分（１８）だけが、熱伝導性樹脂（５０）を有することを特徴とする、請求項１に記載の回転電気機械（１０）。
【請求項３】
伸縮自在に変形可能な平坦な環状シール（４６）が、固定子（１２）の環状軸方向前端面（２２）とケーシング（１４）の前部分（１８）に形成された係合面（４８）との間に、軸方向に挿設されていることを特徴とする、請求項１に記載の回転電気機械（１０）。
【請求項４】
１組の伸縮自在に変形可能なパッド（３４）が、固定子（１２）の環状半径方向後端面（２０）と、ケーシング（１４）の後部分（１６）に画定される係合面（３６）の一部分との間に、周方向に間隔をあけて配置され、かつ軸方向に圧縮されていることを特徴とする、請求項１に記載の回転電気機械（１０）。
【請求項５】
各パッド（３４）が、ケーシング（１４）の後部分（１６）に形成された相補形座（４４）に軸方向に受容される鳩尾形の位置決め耳（３８）を含むことを特徴とする、請求項１〜４のいずれかに記載の回転電気機械（１０）。
【請求項６】
請求項１〜５のいずれかに従って作製されていることを特徴とする、自動車用の交流発電機（１０）。
【請求項７】
始動電動機または交流発電機として、交互に作動するようになっていることを特徴とする、請求項６に記載の交流発電機（１０）。
【請求項８】
回転子（１３）が、巻線（６２）とつめ（６８）（７０）を有する２つの板（６４）（６６）を有し、巻線（６２）が、板（６４）（６６）とつめ（６８）（７０）との間に配置され、かつつめ（６８）（７０）と板（６４）（６６）との間に、わずかな間隙が形成されるように、巻線（６２）が、つめ（６８）（７０）および板（６４）（６６）に隣接していることを特徴とする交流発電機（１０）。
【請求項９】
後部分（１８）が、後部分（１８）によって支持される負ダイオード（１０）と、支持板（９）によって支持される正ダイオード（８）とを含む整流器ユニット（１）を支持し、支持板（９）が、フィンの形の多数のリブ（１１８）（１１９）を有し、かつ空気を冷却するための通路孔（１２０）が、各対の隣接フィン間に設けられていることを特徴とする、請求項８に記載の交流発電機（１０）。
【請求項１０】
板（９）のフィン（１１８）（１１９）の高さに対応する半径方向孔を有するキャップ（２７）を含むことを特徴とする、請求項９に記載の交流発電機（１０）。
【発明の詳細な説明】
【０００１】
本発明は、回転電気機械に関する。
【０００２】
特に、本発明は、例えば自動車の電気回路にエネルギを供給するために使用しうる交流発電機または交流発電機−始動電動機に関する。
【０００３】
本発明は、回転子と、機械の回転子の軸に対して直角に、接合面に沿って結合される後部分および前部分を備えるケーシング内に配置された、おおむね円筒環形の固定子とを備え、固定子の軸方向外面が、ケーシングの軸方向内面と共に環状半径方向空間を画定しており、かつケーシングの２部分の各々に形成された２つの対向する半径方向係合面間に、固定子が軸方向に固締されている回転電気機械であって、２つの係合面の各々、および固定子の対面する環状半径方向端面の一部分の間に、少なくとも１つの伸縮自在に変形可能な要素が設けられ、圧縮されている回転電気機械に関する。
【０００４】
この型の回転電気機械は、フランス国特許公開第２７２７８０７号公報に記載されている。
【０００５】
この型の回転電気機械では、固定子は、ケーシングと直接接触せず、弾性パッドによって、かつ空気によってそれから隔離されている。その結果、固定子は、振動に対して絶縁されているが、機械が作動しているときに発生する熱を充分に発散することはできず、したがって、作業温度は、機械のコンポーネントが耐えることのできる値よりも高くなる。
【０００６】
また、この機械で振動ダンパとして働かせるために使用されるパッドおよびシールは、形状が比較的複雑であり、そのため、製造コストおよび組立のコストは増大する。
【０００７】
使用するシールの断面がＬ字形である場合、大量生産工程のサイクル時間内に、それを固定子に装着することは容易ではない。
【０００８】
本発明は、上述のような欠点のない、上記型式の回転電気機械の改善に係るものである。
【０００９】
そのために、本発明は、半径方向の環状空間の少なくとも一部が、ケーシングと固定子との間に半径方向に設けられた伸縮自在の変形可能な熱伝導性樹脂を有し、それにより、固定子とケーシングとの間の半径方向の機械的結合を解除させ、かつそれにより、固定子からケーシングへ熱エネルギを放散するようにしたことを特徴とする、上で定義した型の回転電気機械を提案するものである。
【００１０】
本発明のさらなる特徴として、次のことが挙げられる。
−ケーシングの前部分だけに、熱伝導樹脂を設ける。
−弾性的に変形可能な平らな環状シールを、固定子の前環状半径方向「端」面と、ケーシングの前部分に形成された係合面との間に軸方向に設ける。
−１組の弾性的に変形可能なパッドを、周方向に間隔を設けて配置し、かつ固定子の後環状半径方向端面とケーシングの後部分に画定された係合面の一部分との間に、軸方向に圧縮する。
−各パッドは、ケーシングの後部分に形成された相補形座に軸方向に受容された鳩尾形の位置決め突耳を備えている。
【００１１】
本発明によると、弾性的に変形可能な平坦な環状シール、および伸縮自在に変形可能なパッドの組は、熱伝導性樹脂が存在するために、保護される。
【００１２】
さらに、先行技術のＬ字形環状シールに代わって、平坦な環状シールが使用されているので、交流発電機は単純化される。
【００１３】
特に、パッドおよびシールにより、軸方向の振動は減衰される。
【００１４】
樹脂により、半径方向の振動は減衰される。
【００１５】
樹脂により、熱は効率的に放散され、交流発電機のパワー出力は高められる。
【００１６】
したがって、ある実施形態では、回転子の巻線の体積が増加する。
【００１７】
一実施形態では、整流器ユニットは、パワーを増加させ、かつ熱をよく排出するように構成されている。
【００１８】
一実施形態では、固定子の導体要素は、熱の発散を良好とするために、結合層にクラッドされている。
【００１９】
本発明はまた、前述した特徴の少なくとも１つを有する、自動車用の交流発電機をも提供するものである。
【００２０】
本発明のさらなる特徴および利点は、添付の図面を参照して、以下の詳細な説明を読むと明らかになると思う。
【００２１】
以下の説明において、各図における同一または同様の部品には、同一の符号を使用する。
【００２２】
交流発電機の軸Ｘ−Ｘに沿った後から前への方向適宜定めたものであって、図１における下向き方向は、図７における右から左の方向に対応する。軸Ｘ−Ｘは、交流発電機の軸対称の軸であり、かつ回転軸である。
【００２３】
図１は、つめ型回転子（図１には図示せず）と、後部分１６および前部分１８を有するケーシング１４に装着された固定子１２とから基本的に構成されている自動車用交流発電機１０を示す。
【００２４】
従来と同様に、回転子は、固定子１２内に画定された円筒環状チャンバ内で回転するようになっている。
【００２５】
固定子１２は回転子を包囲し、多相電機子巻線を保持する溝付き積層体から構成された本体を備えている。本体は、２つの環状半径方向端面、すなわち後端面２０および前端面２２によって、かつ円筒形外面２４によって画定されるおおむね環状形を呈している。本体の溝は、公知のように半閉形である。この溝は、固定子の本体の内周方向に開口している。
【００２６】
固定子１２を受容するエンベロープまたはケーシング１４の２つの部分１６および１８は、成形されて機械加工された部材であり、その各々の中には、回転子の主軸を支持するための軸受（図１には図示せず）が設けられている。図１および図７では、部分１６、１８は金属製、すなわちアルミニウム製である。
【００２７】
ケーシング１８の２つの部分１６、１８は、通常、それぞれ後軸受および前軸受と呼ばれる。これらの部分は、それぞれ機械加工された環状の半径方向端面２６、２８を有し、これらの面は、ケーシング１４の２つの部分１６、１８の接合面Ｐを画定している。
【００２８】
部分１６，１８は、交流発電機１０の軸Ｘ−Ｘの周りで、周方向に規則的な間隔で配置された４本の締付ねじ（図１には図示せず）によって、軸方向に結合されている。
【００２９】
固定子１２の円筒形外面２４と、ケーシング１４の円筒形内面３０との間に、環状半径方向空間３２が画定されている。
【００３０】
固定子１２は、雑音、特に磁気ノイズを低減するために、その２つの部分１６、１８から成るケーシング１４内に、弾性的に保持されている。
【００３１】
公知の構成のように、固定子１２の後部には、軸Ｘ−Ｘを中心に規則的な周方向に配置された４個のブロックの形の弾性パッド３４が設けられ、弾性パッド３４は、ケーシング１４の後部分１６の円筒スリーブ状の部分に固定子１２に形成された半径方向環状後端面２０と、半径方向環状係合面３６との間に、軸方向に設けられている。
【００３２】
図２は、従来のものに比して単純化された弾性パッド３４の一例を示す。
【００３３】
この例の弾性パッド３４は、２つの平行な係合面３５および３７を有する矩形のおおむね平行六面体の形状を有するブロックであり、各係合面は、それぞれ固定子１２の半径方向環状後端面２０の対面部分、およびケーシング１４の後部分１６に機械加工された半径方向環状係合面３６に当接する。
【００３４】
矩形ブロックの形の弾性各パッド３４の一側には、２つの軸方向側縁４０、４２を有する鳩尾形の位置決め用突耳３８が設けられている。
【００３５】
位置決め用突耳３８は、図３に示すように、ケーシング１４の後部分１６の円筒形スカート部分に形成された相補形の受溝４４に軸方向に嵌合されている。
【００３６】
位置決め用突耳３８は、弾性パッド３４と、一体的に形成されている。
【００３７】
固定子１２の前部における、ケーシング１４の前部分１８の円筒形スカート部分に対向する半径方向環状前端面２２の一部分と、半径方向環状係合面４８との間には、弾性的に変形可能な環状の扁平なシール４がを設けられている。
【００３８】
従来のＬ字形断面のシールに代わって、環状扁平シール４６を使用することは有利である。
【００３９】
弾性パッド３４および環状扁平シール４６は、軸方向に圧縮可能な材料、例えばエラストマまたはゴムから作成されている。
【００４０】
しっかりと締め付けると、図１に示すように、弾性パッド３４および環状扁平シール４６は、ケーシング１４の半径方向端面２６および２８が接合面Ｐと接触して把持された状態で、固定子１２の半径方向の後端面２０、前端面２２とケーシング１４の部分１６、１８に設けられた係合面３６、４８との間に軸方向に圧縮される。
【００４１】
本発明の特徴によると、図４の詳細図に示すように、環状半径方向空間３２は、弾性的に変形可能かつ熱伝導性であり、固定子１２の円筒形外面２４と、ケーシング１４の前部分１８の円筒形内面３０との間に、樹脂５０または接着剤が設けられている。
【００４２】
環状半径方向空間３２の下方部分、または前部分だけに、樹脂５０を充填することが好ましい。これにより、樹脂は図１４の整流器ユニット１から隔てられ、かつそれにより保護される。
【００４３】
樹脂５０は、固定子１２とケーシング１４とを機械的に半径方向に分離させうるように、半径方向に弾性的に変形することができなければならない。
【００４４】
また、樹脂５０を、環状半径方向空間３２の後部に配置することも可能である。
【００４５】
このようにすると、樹脂５０は、作動中に固定子１２によって発生させられる半径方向の振動は減衰され、振動がケーシング１４に伝達されて、ノイズが発生するのが防止される。
【００４６】
樹脂５０はまた、固定子１２によって発散された熱エネルギのケーシング１４への放散をも良好にする。これに関連して、熱伝導性の樹脂５０は、空気または弾性パッド３４および環状扁平シール４６よりも、よく熱を伝達する。したがって、交流発電機１０における熱は固定子１２からケーシング１４へ良好に放出される。
【００４７】
前記樹脂により、弾性パッド３４は簡単化され、かつ平坦なシール４６を設けることを可能にする。パッドおよびシールは、軸方向の振動を減衰する。
【００４８】
交流発電機１０の様々な構成部品の組立は、次のようにして行われる。
【００４９】
ケーシング１４の開口面を、好ましくは図５に示すように上に向けて、環状扁平シール４６をケーシング１４の前部分に配置する。
【００５０】
次いで、固定子１２を前部分１８の所定位置に位置させ、その環状半径方向前端面２２を、扁平シール４６と軸方向に係合させる。
【００５１】
公知のセンタリングツールを使用して、固定子１２をケーシング１４の軸受と同軸的に配置するのがよい。
【００５２】
さらに、４個の弾性パッド３４を、ケーシング１４の後部分１６の対応する受溝４４に配置する。
【００５３】
この目的のために、位置決め用突耳３８の横方向寸法を、受溝４４の幅よりわずかに大きくして、突耳３８をわずかに圧縮することによって、突耳３８が受溝４４に適切に保持されるようにする。
【００５４】
次いで、熱伝導性樹脂５０または接着性材料を、その深さが、ケーシング１４の前部分１８の円筒形スカートの深さの例えば４分の３となるまで、環状半径方向空間３２内に流し込む。
【００５５】
環状扁平シール４６が、環状半径方向空間３２の軸方向の前端を気密に封止し、それにより、樹脂５０が環状半径方向空間３２から、例えばケーシング１４の前方向に漏出することが防止されることに注目されたい。
【００５６】
次いで樹脂５０を、軸方向に変形可能であり、かつ、もう流れなくなるように重合させる。
【００５７】
重合された後には、樹脂５０は固定子１２を中心に保持し、かつそれを半径方向に移動不能にする。
【００５８】
次いで、図１に示す最終組立が完了するように、弾性パッド３４の係合面３６を固定子１２の半径方向環状の後端面２０に当接させ、ケーシング１４の後部分１６を、前部分１８の所定位置とする。
【００５９】
本発明の様々な変形実施形態（図示せず）として、樹脂５０を、幾つかの公知の技術を使用して、環状半径方向空間３２内に注入することができる。
【００６０】
例えば、ケーシング１４の部分１６、１８の一方の円筒形スカート内に孔を設けて、後部分１６を前部分１８に取り付けた後、樹脂５０を注入するようにすることができる。
【００６１】
本発明は、言うまでもなく、棒の形の大径の導体を持つ巻線型固定子を有する自動車用交流発電機にも適用することもできる。このような固定子の巻線は、例えば国際公開第ＷＯ９２／０６２５７号に記載されている。棒の形の導体は、固定子本体のスロットをよく満たし、好ましくは円形または方形または矩形の断面のおおむねヘアピン形である。ヘアピン形の代わりに、例えば曲げ棒の形の導体を有利に使用することもできる。
【００６２】
本発明によると、棒の形の大きい導体を持つこの型の巻線型固定子を、簡単に冷却することができる。
【００６３】
本発明によるケーシング１４内の固定子の配置は、車両用交流発電機、または本来的に公知であり、始動発動機として、かつ交流発電機として交互に作動するように適応された「交流発電機−始動機」型の電気機械に、有利に適用可能である。詳細については、２０００年３月１０日に出願されたフランス国特許願第００　０３１３１号を参照されたい。
【００６４】
本発明によると、熱伝導性樹脂が熱を非常によく放散するので、交流発電機のパワーを高めることが可能である。
【００６５】
図７は、内部ファン１０２、１０４を備える交流発電機１０を示す。
【００６６】
この交流発電機１０は、この例では多相型であり、図１の場合と同様に、主として、空気の流動用の開口を持つ前後２つの部分１６、１８から成るケーシング１４を備えている。ケーシング１４は、図１の場合と同様に、例えば米国特許第５２７，６０５（ヨーロッパ特許第０５１５２５９）号に記載された固定子１２および回転子１３から成る２つの内部主部材を支持している。さらなる詳細については、該文書を参照されたい。
【００６７】
固定子１２は、主軸１５に固定された回転子１３を取り囲み、主軸１５の後端には、２つのスリップリング１７が固定され、主軸１５の前端には、プーリ（符号なし）が固定されている。このプーリは、自動車の内燃機関によって駆動される運動伝達装置の一部であるベルトを受容するようになっている。軸Ｘ−Ｘは、主軸１５の中心軸である。
【００６８】
固定子１２は、この例では、横方向軟鉄積層の軸方向積重ねから成る本体１９を備えている。上述した通り、かつ公知のように、固定子１２の各積層には、軸方向のスロットを画定する切欠きが設けられている。その１つを、図８および図９で一部分が見えるこのスロット２５は、円筒形である本体１９の外周方向に開いている。
【００６９】
スロット２５は、半径方向外向きに伸長し、電気巻線２３の導電性の軸方向テールを受容している。スロットは、例えばフランス国特許公開第２６０３４２９号に示されているように、内側が半分閉じられている。
【００７０】
図８および図９で拡大して示されている電気巻線２３は、交流発電機の各相に対し、例えば導電性ワイヤの螺旋巻きから成っている。それは銅線であり、かつ、少なくとも１層の電気絶縁材１３６、例えば１層がポリイミド型、もう１層がポリアミドイミド型の２層から成るポリエステルで被覆されている。
【００７１】
各スロット２５には、電気巻線２３と固定子１３の本体１９との間において、電気絶縁薄板７４が挿設されている。
【００７２】
この絶縁薄板２４は、交流発電機１０のノイズおよび騒音レベルを低減するために、本書で後述する方法で固定され、巻線２３と本体１９との間の短絡の危険性を、低減または除去している。
【００７３】
したがって、導電性ワイヤを巻く作業の結果として、スロット内を軸方向に通過し、図７に示すように、本体１９の両側に突出する耳３９を形成する接続テールによって、固定子１２の本体外に伸長している、電気導体要素１３４の束から成る電気巻線２３が、各スロット２５内に設けられている。
【００７４】
別の変形例では、円形または矩形断面のヘアピンが使用され、国際公開第ＷＯ９２／０６５２７号に記載されるように、固定子１２の軸方向スロット２５に装着される。
【００７５】
さらに別の変形例では、４つの導電性要素が、各スロット内で相互に重ねて半径方向に装着される。
【００７６】
この例の誘導子型回転子１３は、軸方向に平板６６および６４に向かって伸長するつめ６８および７０をそれぞれ有する円筒形巻線６２から成る、Ｌｕｎｄｅｌ型のつめ型回転子である。板およびつめの組立体は、この例では、磁性鋼のポールホイールを構成している。
【００７７】
この例では、同じく磁性鋼からなる鉄心６７が、巻線６２を支持するために、平板６６、６４の間に挿置されている。鉄心６７は環形であり、軸方向を向き、この例では、厚い環状リングの形である。鉄心６７は、ポールホイールから分離されているので、つめ６８、７０に邪魔されることなく、鉄心６７上の導電性要素の巻きが促進される。
【００７８】
各ポールホイールは、主軸の刻み付き部分によって主軸１５上に固定され、刻みの１つは鉄心６７の固定に役立っているつ。つめ６８および７０は、平板６４のつめ６８が、平板６６の２つの隣接するつめ７０の間に介在させられ、かつその逆も成り立つように、相互に周方向に偏位されている。つめは、磁気ノイズを低減するための面取り部を有する。
【００７９】
さらなる詳細は、ヨーロッパ特許第０５１５２５９号を参照されたい。これらの面取り部には、図７では、簡潔性を図るため、符号を付けていない。
【００８０】
この例の交流発電機には、同第０５１５２５９号におけるものと同様に、内部通気装置が設けられ、各平板６４，６６は、ケーシングの後部分１６、および前部分１８にそれぞれ隣接して、内部ファン１０２、１０４を保持している。
【００８１】
ケーシング１４の各部分１８，１６は、空気の流動のための開口を有し、それぞれ、ボールベアリング１０５、１０６の形のセントラルベアリングを支持し、主軸１５の前端および後端を支持している。したがってこれらの部分１６、１８の一方を、前部軸受（すなわちプーリに隣接するもの）と呼び、他方を、後部軸受と呼ぶ。前記プーリは、主軸１５のねじ切り前端に、ナットによって固定されていることに留意されたい。
【００８２】
図７の上部では、Ｌ字形断面のスペーサが、ボールベアリング１０５の内輪とプーリとの間に挿置され、図７の下部では、スペーサがプーリに組み込まれ、そのため、軸方向のサイズはさらに縮小されている。
【００８３】
前記軸受１６、１８は中空であり、その外周には、軸方向を向く環状フランジを有し、その各々には、図１で符号Ｐによって示された接合面を画定するための、機械加工された半径方向端面２６、２８を有する。
【００８４】
軸方向を向く各環状フランジの軸方向の他端は、、関連するボールベアリング１０５、１０６を支持している。側方を向く半径方向の平板に連なっている。各半径方向平板および各フランジには、空気の循環用の開口を設けてある。
【００８５】
図７において、前記軸受１６、１８の半径方向平板に形成された開口の幾つか、および前記軸受１６、１８の周辺フランジにおける２つの開口が示されている。
【００８６】
周辺フランジの開口は、耳３９に面している。
【００８７】
内部ファン１０２、１０４は、耳３９の半径方向の内側に配置され、平板６４および平板６６にそれぞれ例えばスポット溶接によって固定されている。回転子１３に固定されたこれらの内部ファン１０２、１０４は、ノイズを低減するために、不規則な間隔で離して配置されている羽根を有し、この例では遠心型である。これにより、空気が吸引されて、半径方向平板の開口を通過し、周辺フランジにおけるこの例では長円形の開口へ通される。
【００８８】
ファンは、２０００年６月３０日に出願されたフランス国特許願第００　０８５４９号に記載されたように、２組の羽根を持っているのがよい。
【００８９】
より正確には、第２組の羽根は、第１組の羽根よりも短く、かつ少なくとも１つの第２羽根は、２つの第１組の羽根のうちの２つの連続する羽根の間に設けられている。
【００９０】
さらなる詳細については、上記の文書を参照されたい。この文書に対し、様々の変形例を構想することができる。第１組の羽根に、カバープレートをかぶせることができる。
【００９１】
このようにして、耳３９は、整流器ユニット１、交流発電機１０の一部である電圧調整器、およびボールベアリング１０５、１０６と同様に、好適に冷却される。
【００９２】
後部軸受１８は、この例では三相である固定子１２の巻線２３によって発生する交流電流を整流するための整流器ユニット１を、スリップリング１７と協働するブラシキャリアと共に支持している。整流器ユニット１は、巻線２３によって発生する交流電流を、車両のバッテリを充電し、かつ照明装置、空調装置等の電力消費装置に電力を供給するための直流に変換する。
【００９３】
公知のようにして、スリップリング１７は、図７に見ることができるように、内部ファン１０４の後ろを通過するワイヤを介して、回転子１３の巻線の端に接続されている。
【００９４】
保護キャップ２７も設けられており、空気の循環のために、本書で後述する方法で開口が形成されている。
【００９５】
この例ではプラスチック製のキャップ２７は、公知の方法で、電圧調整器１１６に接続されるブラシキャリア、およびダイオードを含む整流器ユニットの上にかぶさっている。
【００９６】
ブラシキャリアのブラシは、スリップリング１７に対して摩擦協動関係にある。調整装置は、バッテリを保護するために、固定子によって供給される電圧を制限する。
【００９７】
後部軸受１６、および前部軸受１８は、それらを車両の固定部分に取り付けるための突耳を有し、この例では、図７の２９にその１つを見ることができるねじを用いて取り付けられている。車両の交流発電機は、このようにして、ベアリング１６、１８を介して電気的に大地に接続される。
【００９８】
別の変形例では、ベアリングの半径方向平板は、軸方向に傾斜している。
【００９９】
さらなる変形例では、後部ファンをより強力として、内部ファン１０２が省かれている。
【０１００】
一般的に、交流発電機は、巻線２３がよく冷却し、かつ交流発電機が高出力である一方で、軸方向に小寸であり、かつ静かでもあるようにして、回転子に固定され、かつケーシング１４の内側で耳３９の下に固定された、少なくとも１つの内部ファン１３を備えている。
【０１０１】
別の変形例では、単一のファンが、外側におけるプーリの領域に配置されている。
【０１０２】
本発明における樹脂５０は、この例ではアルミニウムである金属の軸受１６、１８を介して、より多くの熱を排出する機能を有している。そのため、本書で後述する方法で、巻線の体積を増加させることにより、交流発電機１０の出力を増加させることができる。
【０１０３】
出力がこのように増加するため、整流器ユニット１および巻線２３および６２を、後述するように、構成することが必要となる。
【０１０４】
こうして、本発明の一特徴に従って、固定子１２および回転子１３それぞれの巻線２３および６２に、螺旋状に巻かれた導電性ワイヤ、この例では銅線が利用される。導電性ワイヤは、本書で前述した通り、接続または取付のために、層７２にクラッドされた電気絶縁材の層１３６であって、隣接する導電性要素１３４を巻線２３の束に結合する、少なくとも１つの結合材７３を含む層１３６により被覆される。
【０１０５】
図８は、この特徴に従って作られた固定子１３の電気巻線２３の部分断面図である。この図には、導線を巻いて巻線２３を作ることによって形成された、複数の導電性要素１３４が示されている。
【０１０６】
別の特徴に従って、電気絶縁薄板７４は、紙または絶縁織物などの電気的絶縁構造要素１７４を有し、少なくともその片方の面に、少なくとも部分的に結合材７６が被覆される。例えば、巻線２３の巻き方向を向いた面だけが少なくとも部分的に結合材７６で被覆される。
【０１０７】
構造構造の両面を結合材７６で被覆するのが好ましい。このようにすると、結合材と化学的に相容性が得られる。
【０１０８】
導電性要素１３４の層１３６がクラッドされる結合層７２の結合材７３は、一実施形態では、絶縁薄板７４に被覆される結合材７６と同一である。
【０１０９】
別の変形例では、結合材７３および７６は、それらの特定の機能を最適化するために、化学的および熱的に相容性を有している。したがって、結合材７６は、本体１９と良好に接続するように選択され、結合材７３は、結合材７６の存在によって品質が改善されるように選択される。
【０１１０】
構造要素１７４に結合材７６を含浸させることもできる。Ｋのようにすると、構造要素１７４が織物または等効の不織体である場合、結合材７６はその表面にかぶさり、構造要素１７４を構成する繊維の間に少なくとも部分的に浸透する。
【０１１１】
結合材は、例えばポリマーを含むものとされる。
【０１１２】
ポリマーは、重合化された後、少なくとも交流発電機１０の最大作動温度まで、その機械的特徴を保持する熱硬化型のものとすることができる。あるいは、融点が交流発電機１０の最大作動温度より高い熱可塑型とすることができる。
【０１１３】
結合材７３が、電気絶縁材の層１３６により被覆された導体要素１３４を被覆することを前提として、交流発電機１０の固定子１２および回転子１３を作成する工程で、電気巻線２３および６２を含浸させるステップを除去することができる。これにより、交流発電機の製造時間を、数分または数十分も短縮することが可能になる。
【０１１４】
ワニスを使用すると、それが加熱されている間に、汚染物質の蒸気が放出される。被覆導体要素１３４上に様々な結合材７３，７４を使用することにより、ワニスの使用を回避することができ、大気中への汚染物質の放出を低減させるか、あるいは無くすことさえできる。
【０１１５】
この説明の残りの部分では、層７２の結合材７３および結合材７６は、同一であることとにする。
【０１１６】
したがって、交流発電機１０を製造する方法は、被覆されクラッドされた導電性ワイヤを巻くステップの後に続くステップで、少なくとも部分的に導電性要素１３４の隣接する部分間に存在する隙間１４０を埋めるために、結合材の状態を変化させ、それにより、結合材を軟化または溶融させ、かつ次いで、それを再び固化させて、導電性要素１３４の隣接する部分を、ひとつに接続させるステップ含むものとされる。
【０１１７】
状態を変化させるステップは、結合材の構造の変化、すなわち、それを構成する原子の一部の相互に対する移動に対応する。
【０１１８】
本発明の第１実施形態では、材料の状態を変化させるステップは、結合層７２を結合材の融点より高いか、それに等しい硬化温度まで加熱して、それが流れるか、あるいは流動して、導電性要素１３４の隣接する部分間に存在する隙間１４０をほぼ完全に埋めるために、それを溶融または軟化させるステップを含んでいる。
【０１１９】
加熱ステップの後に冷却ステップが続き、その過程で、結合材が再び硬化または固化する。
【０１２０】
結合材の硬化または固化温度は、材料の構造が変化して、それにより、材料が少なくとも部分的に接触している要素を接続させ始める温度である。
【０１２１】
したがって、ポリマーが熱硬化型である場合、この説明の残部、および請求の範囲では、その網状化温度を硬化温度と呼ぶ。
【０１２２】
また、ポリマーが熱可塑型である場合、説明の残部では、融点をその硬化温度と呼ぶ。
【０１２３】
結合材がポリマーである場合、加熱および冷却ステップは、その重合化および固化を可能にし、それにより、絶縁薄板７４間の隣接する被覆導体要素１３４同士、および絶縁薄板７４との堅牢な結合が行われる。絶縁薄板７４は、熱をさらに峰出するように、樹脂５０などの熱伝導体であることが好ましい。
【０１２４】
絶縁薄板７４がポリマーなどの結合材７６で被覆されている場合、結合材７６の硬化温度より高いか、それに等しい温度まで加熱するステップ、および冷却するステップにより、結合材７６は、固定子１３の本体１９に接続され、かつ被覆導体要素１３４の隣接する部分との接続は強化される。
【０１２５】
結合材は、電気絶縁材の層１３６の上、および構造要素１７４の上、または中で、ほぼ規則的な間隔で離れているため、温度上昇中のその溶融または軟化により、被覆要素１３４の隣接部分間、および被覆要素１３４と絶縁薄板７４の隣接部分間に存在する隙間１４０が好ましくは均一に埋められることとなる。
【０１２６】
こうのように、結合材が結合材７６の硬化温度より高いか、それに等しい温度に加熱された後、その冷却および固化中に、要素１３４および絶縁薄板７４の隣接部分は強固に接合され、剛性統一体が形成される。したがって、薄板７４を薄くすることができる。
【０１２７】
絶縁薄板７４および電気絶縁材の層は、言うまでもなく、加熱ステップに耐えるように選択される。
【０１２８】
次いで結合材は、巻線２３を好ましくは一体的に被覆し、それにより、それをホコリなど外部からの汚染物質から保護する。また、導電性要素１３４を、機械的に確実に保持し補強する。
【０１２９】
結合材はまた、熱伝導を改善する。これは、本発明による熱伝導性樹脂５０と併せて好ましいことである。
【０１３０】
軸方向のスロット２５の壁と接触している絶縁薄板７４の面は、結合材７６で被覆することができる。こうして、結合材７６を、硬化温度より高いか、それに等しい温度に加熱した後、結合材７６の冷却および固化させると、固定子１２の本体２２と絶縁薄板７４は、強固にひとつに接続され、剛性統一体を形成する。
【０１３１】
本発明はまた、冷却ステップに関連して、巻線３２、６２の少なくとも１つのゾーンに、それを変形させるように力を加える総形ツール７８によって、予め定められた方法で、電気巻線２３または６２を二次成形することを提案するものである。こうして、冷却ステップが終了したときに、電気巻線２３または６２は、交流発電機１０の作動温度では非可逆性の所定の形となる。
【０１３２】
巻線２３、６２の少なくとも１つのゾーンに力を加えることは、加熱ステップの前または途中で有利に開始し、結合材７６が硬化または固化するまで続けることができる。
【０１３３】
このように、巻線ステップの最後に、固定子１２は、図１０に示す総形ツール７８内に配置される。
【０１３４】
好ましくは熱的および電気的絶縁材で作られる総形ツール７８は、側方中間面Ｐに対して対称である。以後、中間面に対して総形ツール７８の左側の部分だけを、図１０に関連して説明する。
【０１３５】
総形ツール７８は、固定子１２の本体１９が中心に配置された第１の外周ダイス８０を含んでいる。第２の内部ダイス８２は半径方向に可動である。外周ダイス８０は、本体１９の端と接触して、後者を軸方向に移動不能にするように２つの部品から成っている。
【０１３６】
内部ダイス８２は、耳３９の環状軸方向面８４に力を加えることを可能にする。次いで、被覆されクラッドされた電気導体要素１３４の耳３９を構成する部品を、図１１に示すように、外部ダイス８０の内面に当てて圧縮する。この内部ダイス８２もまた、２つの部品から成り、それらは、軸方向に相互に対して反対方向に可動である。
【０１３７】
その後、結合材は、特に材料がポリマーである場合、それを溶融または軟化させ、かつ硬化または重合化させて、その硬化温度より高いか、それに等しい温度に加熱する。特に結合層７２の結合材７３による隙間１４０の充填に関連する耳３９を応力下に置くことにより、導電性要素１３４の一部分を、図９に示すように締め付けることができ、固定子１２の耳３９の外形寸法は変更される。
【０１３８】
そのとき耳３９の形状は、最適化され、固定子１２の寸法を交流発電機１０において最小とする。したがって、後者の寸法を小さくすることができる。
【０１３９】
加熱または冷却ステップ中に、固定子１２の最適形状は、交流発電機１０の作動温度で逆戻りできないように固定される。
【０１４０】
こうして、固定子１３の厳密な寸法が正確に決定され、大量生産において、正確に再現可能である。
【０１４１】
次いで第２ダイス８２は、耳３９に力を加えることを止め、次いで総形ツール７８が開いて、固定子１２を取り出すことができる。
【０１４２】
固定子１２の寸法を管理することにより、交流発電機１０のケーシング１４上の導電性要素１３４の部分間の摩擦接触の危険性は排除され、したがって、層１３６の摩耗および短絡発生の危険性も排除される。
【０１４３】
耳３９は、図１０および図１１の内部ダイス８２により、開口を設けたケーシング１２の前後軸受に非常に接近させることができることを理解されたい。これにより、ケーシング１４のサイズを縮小することができ、したがって、サイズの縮小のみならず、材料が節約される。
【０１４４】
固定子１２および回転子１３の巻線の少なくとも１つを、結合層７２でクラッドすることとともに、全てを組み合わせることが可能であることは言うまでもない。回転子１３は、別の変形例では、凸極回転子とし、２本以上の巻線を有するものとすることができる。
【０１４５】
同様に（図１２および図１３）、回転子１６の巻線６２の外形寸法は、囲み部材９３によって決定される。この囲み部材９３は、２つの部品から成る第１ダイス９５と、半径方向の外方にあり、主軸１５の軸線に沿って、相互に対して半径方向に可動である２つの部材から成る第２ダイス９８とを有している。
【０１４６】
第１ダイス９５は鉄心６７を及び巻線６２を側方から固定保持するもので、鉄心６７の両側に位置する側板６４，６６からなっている。側板６４，６６の半径方向の外周部の対向面は、鉄心６７に巻かれた巻線６２と、その外周に当接する第２ダイス９８の外側面を挟持しうるように、厚肉部９４，９６とされている。
【０１４７】
各側板６４，６６の外周縁には、さねはぎ用切込み９２が設けられている。
【０１４８】
第２ダイス９８は、周方向に分割された円環状のもので、前記側板６４，６６の切込み９２が係合しうる突起が各切込み９２と対応して設けられている。従って、第２ダイス９８は、径方向に可能であり、巻線６２の径を変化させて、巻線６２の体積を増加させ、交流発電機１０の出力を増加させることができる。
【０１４９】
図１２，図１３に示すように、第２ダイス９８の内周面は、内向Ｖ形、従って巻線６２の外周面９０は、外向Ｖ形となっている。巻線６２の体積をより増加させるために、その断面を樽形にすることもある。
【０１５０】
前述した構成により、従来の回転子において、巻線６２を支持するために設けられた巻回ワイヤは不要となり、したがって、巻線のサイズを増加することができる。これに関連して、巻線工程中に、被覆されクラッドされた電気導体要素１３４を、図１３に示すように、巻線６２の幅を決定する２つの側板９４によって、側方に誘導することができる。２つの側板６４および６６は、被覆されクラッドされた電気導体要素１３４を、結合材７６がその硬化温度より高いかそれに等しい温度に加熱された後、冷却ステップが終わるまで保持する。
【０１５１】
第２ダイス９８は、巻線６２の少なくとも１つの軸方向環状ゾーンに半径方向の力を加えて、それを変形させ、それにより、外形、特にその直径を決定する。次いで、側板９４、９６は第２ダイス９８と共に軸方向に引き出される。
【０１５２】
少なくとも１つの耳３９の少なくとも１一部を変形させて、その外形を決定することができる。
【０１５３】
巻線２３の半径方向可能ゾーンは、ケーシング１４の側方壁の内面で固定子１２の方向に伸長する軸方向要素（図示せず）に相補的な形状の中空を形成するように変形することができる。そのような凹所により、交流発電機１０の軸方向寸法は縮小され、したがってその全体サイズを縮小させることができる。
【０１５４】
この例における巻線６２は、鉄心６７上に直接形成される。加熱および冷却ステップは、結合材で巻線６２を鉄心６７に接続させることを可能にする。
【０１５５】
巻線６２はまた中間部材上に形成し、その結合材が硬化した後にそこから分離することもできる。次いでそれは、締付けによって鉄心６７上に組み立てられる。
【０１５６】
巻線本体の除去はまず最初に、回転子１３の構成部品の数を低減することを可能にし、それは製造コストを削減し、かつ巻線６２間および外部への熱伝達を増加し、それにより交流発電機１０の出力は増加する。
【０１５７】
熱伝達が増加するため、交流発電機１０を冷却する必要性は小となり、その結果、図１に示した前部ファン１０２および後部ファン１０４の冷却羽根の寸法を縮小することができる。あるいは、これらのファンす、なわち前部ファン１０２および後部ファン１０４の少なくとも一方、および特に前部ファンを省くことさえも可能になる。
【０１５８】
巻線本体を除去したため、交流発電機１０の同一出力を維持しながら、回転子の体積を小とすることができる。あるいは、回転子１３の体積を一定に維持しながら、巻線６２の寸法を増加させることによって、交流発電機１０の出力を増加させることげできる。この出力増加は、本発明における熱伝導性樹脂５０のために可能になる。
【０１５９】
巻線６２と鉄心６７間の短絡発生の危険性を低減または除去し、またはそれらの間の接続を改善するために、これらの２つの要素の間に、固定子１３の絶縁薄板７４と同様の電気絶縁材の薄板１００を設けると有利である。電気絶縁材の薄板１００は、先行技術の巻線本体より薄いものであり、かつ結合材７６と同一とすることのできる結合材を、少なくとも部分的に被覆または含浸させることが好ましい。
【０１６０】
薄板１００の両面は、結合材が巻線６２と鉄心６７をもひとつに接続するように、結合材を被覆することが好ましい。その場合、薄板１００用の結合材は、機械の最高作動温度より高い融点を持つ熱可塑型であることが好ましいが、機械の信頼性を高めることを可能にする熱硬化型とすることもできる。上述した通り、結合材はポリマーである。
【０１６１】
薄板７４、１００は、熱をそれぞれ、本体１９および鉄心６７の方向へ有利に放出するように、熱導電性であることが好ましい。これらの薄板は薄い。
【０１６２】
変形実施形態では、巻線２３および６２によって占められる体積を低減させることができ、それにより、それらの体積が低減される。したがって、それは交流発電機１０が作動するときの風騒音の発生は低減する。
【０１６３】
使用する結合材７３、７６の剛性は、現在で使用されているワニスのそれより小さいことが好ましい。これは、巻線２３、６２の少なくとも１つ、およびそれが結合材７３、７６によって接続される要素から成る組立体の厚さを低減させることを可能にし、それは機械的応力、振動によるそれに耐えながら、交流発電機１０によって放出される磁気ノイズを特に低減させる。
【０１６４】
使用する結合材７３、７６は、交流発電機１０の作動温度の範囲内の温度変化に対して強いことが好ましい。これにより、交流発電機が作動しているときに、交流発電機１０によって放出される磁気ノイズのレベルは実質的に一定となる。
【０１６５】
また、本発明によると、固定子１２および回転子１２の巻線２３および６２の寸法のばらつきを低減させることもできる。こうして、巻線６２と平板６４、７０およびつめ６８、７０それぞれとの間の有効間隙は、固定子１３とファン１０２、１０４それぞれとの間の間隙と共に低減させることができる。このようにして間隙が小さくなる。
【０１６６】
本発明はまた、固定子１３の耳３９とケーシング１４との間に、半径方向および軸方向にそれぞれ存在する有効間隙を低減させることも可能である。
【０１６７】
本発明に従って使用される樹脂によって、出力は増加し、かつ熱をよく排出しながらも、交流発電機の全体サイズを低減させることができる。
【０１６８】
結合材の硬化は、結合材をストービングによって加熱して、その温度をその硬化温度より高いか、それに等しい温度にする加熱ステップによって得られる。
【０１６９】
変形例では、加熱ステップは、被覆されクラッドされた電気導体要素１３４をジュール硬化によって加熱して、結合材の温度をその硬化温度より高いかそれに等しい温度にすることにある。絶縁薄板７４、１００を被覆する結合材が、その硬化温度に達するために、温度は充分に高くなければならず、加熱ステップは充分に長く持続しなければならない。このことは、例えば、巻線２３または６２の電気導体に、充分に高い電流を流し、加熱させることによって達成される。
【０１７０】
導体要素の温度は、言うまでもなく、全ての場合に、電気絶縁材１３６を損傷しないように、保たなければならない。
【０１７１】
機械の出力が増加するため、整流器ユニット１を改造することが必要になる。
【０１７２】
図１４には、孔５が設けられた周辺フランジを有する後部１６、及び図７で示す孔７が設けられた半径方向平板３が示されている。
【０１７３】
整流器ユニット１は、後部軸受１６の半径方向平板３によって支持された複数の負ダイオードと共に、扁平状の金属製熱放散器９によって支持された複数の正ダイオード８を備えている。この例では、３つの正ダイオード８および３つの負ダイオード１１が設けられてる。
【０１７４】
各ダイオード８、１１は、図７で最も良く見ることができるように、円筒状本体およびテールを有する。これらのダイオードは、全体的な軸方向の寸法を小とするために、対向関係で設けられている。
【０１７５】
負ダイオード１１は、その目的のために刻みが付いているそれらの本体によって、後部軸受１６の平板３、および孔６を取り囲むゾーンにおける孔の中に圧力嵌めされている。
【０１７６】
負ダイオード１１のテール１１１は、支持板９に設けられた孔１１１´を貫通している。
【０１７７】
正ダイオード８本体は、支持板９に設けた孔８´に圧力嵌めされている。正ダイオード８のテールは、図７に見ることができるように後部軸受１６の半径方向平板３の孔７を貫通している。支持板９は、成形可能な材料からなり、この例ではアルミニウム製である。支持板９は、おおむね環状扇形である。
【０１７８】
支持板９は、電気絶縁材の平板１１３によって、後部軸受１６の半径方向平板３から分離され、この例では、電気導体の組立時に現場で成形されるプラスチック材からなったいる。平板１１３は、おおむね環状扇形である。
【０１７９】
支持板９は穿孔され、かつ多数のフィン１１８、１１９が設けられている。
【０１８０】
隣接するフィン１１８、１１９の間に、空気を冷却するための通気孔１２０が設けられている。
【０１８１】
フィン１１８の幾つかは、支持板９の外周まで伸びている。
【０１８２】
２つの正ダイオード８が、支持板９の外周の近くに取り付けられている。
【０１８３】
支持板９の外周の近くにおける正ダイオード８は、負ダイオード１１の孔１１１´、および支持板９または３を固定するためのねじ用の通孔１１５´とほぼ同一距離で配置されている。
【０１８４】
正ダイオード８は、車両のバッテリの正端子への接続用の端子として働くねじ切り部分１１７の近くに取り付けられている。
【０１８５】
電圧調整器１１６、および図１４で２００で示すブラシキャリアも設けられている。
【０１８６】
電圧調整器１１６はフランス国特許公開第２７８０５７７号に記載されたものと同型であり、したがって、集積回路以外のチップなど、少なくとも１つの基本的電子部品が装着される基板をはじめとするサブアセンブリを有する。サブアセンブリは、一実施形態では、複数の基本的電子回路および複数の集積回路を含んでいる。
【０１８７】
またこのサブアセンブリは、ブラシを装着するために手段を含む。それは、一実施形態では、ブラシキャリア２００である。
【０１８８】
さらなる詳細については、前記文書を参照されたい。基本的電子部品は、基板の孔に装着され、金属トラックに接続される。
【０１８９】
フィン１１８、１１９は、熱伝導性の支持板９の上面に直角に突出している。
【０１９０】
中央の正ダイオード８は、２つの長いフィン１１８の間に配置されている。
【０１９１】
図面に明瞭に示すように、支持板９のフィン１１８，１１９の間に、通気孔１２０があけられている。通気孔１２０は、中心方向に収束する半径方向のフィン１１８、１１９と共に、内部ファンによって吸引され、次いで軸受の側方の孔５内を通過する冷却空気の流動を確実にする軸方向の冷却チャネルを構成している。
【０１９２】
図１７は、絶縁平板１１３を示し、これは、ある意味では正ダイオード８の支持板９に対応して、その周辺に近い外部環状ゾーン内に、正ダイオード８のテールのための通孔１２２、締付ねじ１１５用の通孔１２３、および負ダイオード１１のテール用の通孔１２４が設けられ、かつ内側に配置された環状部分１２５には、冷却空気の流動用の幅の広い孔１２６が設けられ、その位置は、支持板９の通気孔１２０に対応している。
【０１９３】
本発明の範囲内で、絶縁平板１１３のこの環状部分１２５を省くことができ、それにより、絶縁平板１１３のサイズは縮小される。
【０１９４】
図１８は、保護キャップ２７を示す。その一部が脱熱器の上に配置される面に大きく穿孔されて、細い半径方向リブ１２８および細い周方向リブ１２９だけが残され、放熱器に完全に適合しうる最適化された形状となっている。
【０１９５】
冷却フィン１１９、１１８と同様に、半径方向に伸びる大きい孔１３０は、吸引された冷却空気の軸方向の加速流動、したがって交流発電機の整流器ユニットの冷却を確実にする。
【０１９６】
孔が設けられているのは、保護キャップ２７の一側方だけであり、平板の外周に接合されるキャップの軸方向を向く環状フランジには、孔が無いことに注目されたい。したがって、通気孔１２０は、後部軸受１６の孔７と対向し、空気は、孔１３０および１２０内を軸方向に通過する。
【０１９７】
全ての場合に、整流器ユニットは、半径方向フィン付き穿孔板、コネクタ付き平板１３、および負ダイオード１１用の支持体を構成し、かつ後部軸受１６，または後部軸受１６に固定された平板によって画定される、放熱器９を備えている。
【０１９８】
コネクタ１１３は、脱熱器９と後部軸受の平板３、または後者に対して固定された平板との間に設けられている。半径方向チャネルがフィンの間に形成されている。正ダイオード８のテールは、負ダイオード１１用の支持体の方向に向き付けられる。少なくとも２つの正ダイオード８は、通気孔１２０の下にある。
【０１９９】
正ダイオード用の支持体における半径方向フィン、およびそれらの間に設けられた孔のおかげで、加速され、したがって最適化された冷却空気が流動し、かつコネクタを構成する軸受、および絶縁板で相互に対面する形成された孔がそれに貢献する。
【０２００】
正ダイオードが支持平板の外周の近くに配置されているため、コネクタの寸法を小とすることができる。全ての孔は、空気の流動を促進しながら、エネルギ損失が小さいように構成されている。したがって、キャップの開口は、正ダイオードを支持する脱熱器のフィンと整列していることを強調しておく。
【０２０１】
フィン１１８、１１９が中心方向に収束しているため、空気及び他の冷却流体の流動を加速させることができる。
【０２０２】
正ダイオードの２つを放熱器の外周に配置したことにより、放熱器の厚さをこの位置で増加させ、例えば後者に、台形の断面を有する肥厚部分を形成することができる。このようにして、熱は最良な要領で排出され、かつ支持板９は補強される。支持板９は、アルミニウムを成形して作成することが好ましい。
【０２０３】
電気巻線２３は、この例では、三相の交流発電機を形成するように、幾つかのコイルを備えている。図１は、２つの電気導体、すなわち各相に１つの導体を示している。これらの導体は、平坦な導体要素内に含まれるワイヤグリッパの形の要素１１４を介して、絶縁平板１１３の平形導体に接続される。
【０２０４】
平板３は、図７に見ることができるように、複数の位相の導体を通過させるための孔を有する。短絡を防止するために、ショルダ付きの電気絶縁スリーブが、通孔１１５と１１５´との間に設けられていることに注目されたい。一部の締め付けねじ１１５は、スナップ留めによって保護キャップ２７に固定するために、ねじ切り部分を有する。
【０２０５】
上記したように、本発明による交流発電機は、樹脂により完全に中心に配置された固定子、および軸方向の寸法を小としたケーシングと、よく冷却される整流器ユニットとを有する。この交流発電機は、小さな体積内で、出力が強く、しかも騒音は低い。
【図面の簡単な説明】
【図１】
本発明の特徴に従って作成された交流発電機の半分を示す軸方向断面図である。
【図２】
図１の交流発電機における減衰パッドの斜視図である。
【図３】
交流発電機のケーシングの相補形座内における図２の減衰パッドの装着を示す部分断面図である。
【図４】
固定子の環状半径方向空間における熱伝導性樹脂を含む部分を示す、図１の詳細図である。
【図５】
交流発電機のケーシングの前部分における平坦な環状シールの配置を示す、図１と同様の図である。
【図６】
熱伝導性樹脂を半径方向環状空間内に流し込む前、およびケーシングの後部分を嵌める前の交流発電機のケーシングの前部分における固定子の位置を示す、図１と同様の図である。
【図７】
図６からのケーシングの前部分を装着された、図１の交流発電機の軸方向断面図である。
【図８】
接続層にクラッドすることによって被覆された導体要素の巻線の軸方向断面の拡大図である。
【図９】
導体要素を結合するように接続層が存在する隙間を満たした後の、図８と同様の図である。
【図１０】
総形バイトに配置された、図７の固定子の断面図である。
【図１１】
総形バイトが固定子の耳を変形した、図１０と同様の図である。
【図１２】
図７の回転子の巻線用の総形バイトの斜視図である。
【図１３】
図１２と対応する軸方向断面図である。
【図１４】
図７の交流発電機の後部分に装着されるように構成された整流器ユニットの部分斜視図である。
【図１５】
図１４の整流器ユニットの熱放散器の斜視図である。
【図１６】
図１５の熱放散器の平面図である。
【図１７】
図１４の整流器ユニットの絶縁中間板の上面図である。
【図１８】
図１３の整流器ユニットを覆うためのキャップの斜視図である。
【符号の説明】
１　整流器ユニット
３　半径方向平板
５　孔
６　開口
７　孔
８　正ダイオード
９　支持板
１０　交流発電機
１１　負ダイオード
１２　固定子
１３　絶縁平板
１４　ケーシング
１５　主軸
１６　後部軸受
１７　スリップリング
１８　前部軸受
１９　本体
２０　後端面
２２　前端面
２３　電機巻線
２４　円筒形外面
２５　スロット
２６　半径方向端面
２７　保護キャップ
２８　半径方向端面
３０　円筒形内面
３２　半径方向空間
３４　弾性パッド
３６　環状係合面
３８　突耳
３９　耳
４０，４２　軸方向側縁
４４　受溝
４６　環状扁平シール
４８　係合面
５０　熱伝導性樹脂
６２　巻線
６４、６６　側板
６７　鉄心
６８、７０　つめ
７２　結合層
７３　結合材
７４　薄板
７６　結合材
７８　総形ツール
８０　外周ダイス
８２　内部ダイス
８４　軸方向面
９０　外周面
９２　切込み
９３　囲み部材
９４、９６　厚肉部
９５　第１ダイス
９８　第２ダイス
１００　薄板
１０２、１０４　内部ファン
１０５　軸受
１０５、１０６　ボールベアリング
１１１　テール
１１１　孔´
１１３　絶縁平板
１１４　要素
１１５　締付ねじ
１１５’通孔
１１６　電圧調整器
１１７　ねじ切り部分
１１８、１１９　フィン
１２０　通気孔
１２０　穴
１２２、１２３　通孔
１２５　環状部分
１２６　孔
１２８，１２９　リブ
１３０　孔
１３４　導電性要素
１３６　電気絶縁材の層
１４０　隙間
１７４　構造要素
２００　ブラシキャリア
【国際公開パンフレット】
2004511197.tif 000003
2004511197.tif 000004
2004511197.tif 000005
2004511197.tif 000006
2004511197.tif 000007
2004511197.tif 000008
2004511197.tif 000009
2004511197.tif 000010
2004511197.tif 000011
2004511197.tif 000012
2004511197.tif 000013
2004511197.tif 000014
2004511197.tif 000015
2004511197.tif 000016
2004511197.tif 000017
2004511197.tif 000018
2004511197.tif 000019
2004511197.tif 000020
2004511197.tif 000021
2004511197.tif 000022
2004511197.tif 000023
2004511197.tif 000024
2004511197.tif 000025
2004511197.tif 000026
2004511197.tif 000027
2004511197.tif 000028
2004511197.tif 000029
2004511197.tif 000030
2004511197.tif 000031
2004511197.tif 000032
2004511197.tif 000033
2004511197.tif 000034
2004511197.tif 000035
2004511197.tif 000036
2004511197.tif 000037
2004511197.tif 000038
2004511197.tif 000039
2004511197.tif 000040
2004511197.tif 000041
2004511197.tif 000042
2004511197.tif 000043
2004511197.tif 000044
【国際調査報告】
2004511197.tif 000045
2004511197.tif 000046
2004511197.tif 000047
2004511197.tif 000048
2004511197.tif 000049
2004511197.tif 000050